(57)【要約】【課題】セードに穴明け加工を行うことなくセード周縁部を覆う装飾部品を設けることができ、よって穴明け加工に起因する破損がセードに生じるのを防ぐことができる照明器具を提供する。【解決手段】弾性変形可能な取付部材６を介して木枠（器具本体３側）５に回動可能に木飾り（装飾部品）７を取り付ける。さらに、木飾り７がセード４の周縁部４ａを覆うことができる装飾位置と、そのセード４を器具本体３に対し着脱させることができる退避位置とのいずれかの位置に木飾り７を移動させる。【選択図】      図２
2004247254.tif 000002
【特許請求の範囲】
【請求項１】
器具本体に着脱可能に設けられたセードと、このセードの周縁部の少なくとも下面側を覆った状態で当該セードを装飾する装飾部品とを備えた照明器具であって、
前記装飾部品が、セードを前記器具本体に着脱させる際に当該セードが干渉しない位置に退避できるように、弾性変形可能な取付部材を介して前記器具本体側に取り付けられていることを特徴とする照明器具。
【発明の詳細な説明】
【０００１】
【発明の属する技術分野】
本発明は、住居などに設置される照明器具に関する。
【０００２】
【従来の技術】
例えば図３に示すように、市販されている従来の照明器具には、環状のランプ５１の照射方向側に、例えば乳白色のアクリル樹脂からなるセード５２を設けてランプ５１を覆うことにより、ランプ５１の照射光を拡散したり、その照射光のまぶしさを抑えたりするものが提供されている。
また、上記セード５２には、図３（ａ）に示すように、その円形状の周縁部５２ａを飾る例えば三つの装飾部品５３が周方向周りに等配に取り付けられており、当該セード５２、ひいては照明器具のインテリア性が高められている。詳細には、各装飾部品５３は、図３（ｂ）に示すように、リベット５４によって周縁部５２ａに固定されたものであり、周縁部表面に直接的に貼り付けられた下側部材５３ａと、当該部品５３による装飾効果の低下を防ぐために、リベット５４の頭部を隠した状態で下側部材５３ａに固着された上側部材５３ｂとを備えている。
【０００３】
【発明が解決しようとする課題】
ところが、上記従来の照明器具では、上記リベット５４を用いて装飾部品５３をセード５２に取り付けていたので、当該セード５２に穴明け加工を行いリベット５４が挿通される穴５２ｂをセード周縁部５２ａに形成する必要があった。このため、穴明け加工時に微細なひびや割れなどが、上記穴５２ｂの周辺部分に生じることがあり、これらの割れなどが経年変化に伴って拡がり、穴５２ｂを起点とする割れなどの破損がセード５２に生じるおそれがあった。
【０００４】
上記のような従来の問題点に鑑み、本発明は、セードに穴明け加工を行うことなくセード周縁部を覆う装飾部品を設けることができ、よって穴明け加工に起因する破損がセードに生じるのを防ぐことができる照明器具を提供することを目的とする。
【０００５】
【課題を解決するための手段】
本発明は、器具本体に着脱可能に設けられたセードと、このセードの周縁部の少なくとも下面側を覆った状態で当該セードを装飾する装飾部品とを備えた照明器具であって、
前記装飾部品が、セードを前記器具本体に着脱させる際に当該セードが干渉しない位置に退避できるように、弾性変形可能な取付部材を介して前記器具本体側に取り付けられていることを特徴とするものである。
【０００６】
上記のように構成された照明器具では、装飾部品が、器具本体に着脱されるセードと干渉しない位置に退避できるように、上記取付部材を介して器具本体側に取り付けられているので、上記従来例と異なり、上記装飾部品によってセードを装飾するために、当該セードに穴明け加工を行う必要がない。この結果、従来例と異なり、割れなどの破損が穴明け加工に起因してセードに生じるのを防ぐことができる。
【０００７】
【発明の実施の形態】
以下、本発明の照明器具の好ましい実施形態について、図面を参照しながら説明する。尚、以下の説明では、従来例との比較を容易なものとするために、円形状の周縁部を有するセードを備えた照明器具に適用した場合を例示して説明する。
図１は、本発明の一実施形態に係る照明器具の要部構成を示す平面図である。図２は図１のＩＩ−ＩＩ線拡大断面図であり、（ａ）及び（ｂ）はそれぞれセードの装着後及び装着前における装飾部品を示す図である。図１及び図２において、本実施形態の照明器具１は、例えば二本の環状の蛍光ランプ２を着脱可能に支持するとともに、住宅等の天井面（図２に一点鎖線にて図示）に取外し可能に取り付けられた器具本体３と、この器具本体３に対して着脱可能に設けられるとともに、周縁部４ａが円形状に形成されたセード４とを備えている。また、上記照明器具１には、器具本体３に固定された装飾部材としての環状の木枠５と、この木枠５の周方向周りに等配されるとともに、当該木枠５に対して、弾性変形可能な取付部材６を介して回動可能に取り付けられて上記セード４を装飾する装飾部品としての例えば三つの木飾り７とが設けられている。
【０００８】
上記器具本体３には、公知の点灯装置（例えば、インバータ点灯装置）が取り付けられており、この点灯装置がユーザの操作に応じて上記の各蛍光ランプ２を点灯駆動するようになっている。
上記セード４は、アクリル樹脂等の合成樹脂材やガラス材を用いて構成されたものであり、上記器具本体３に着脱可能なように一端側に円形状の開口端４ｂが形成されているとともに、蛍光ランプ２をカバーするように有底状に構成されている。また、セード４は、例えば乳白色に着色されたものであり、ランプ点灯時に蛍光ランプ２からの照射光がユーザを直接的に照らすのを防いで照射光のまぶしさを抑えたり、その照射光を拡散させたりして、当該照射光の色調や照度などを変更できるようになっている。
【０００９】
また、上記セード４は、器具本体３に固定された取付装置８により、当該本体３に着脱可能に取り付けられている。具体的には、三つの上記取付装置８が、蛍光ランプ２の外周外方側でその周方向周りに１２０度間隔で配置されている（図１参照）。また、各取付装置８には、図２（ａ）に示すように、セード４の開口端４ｂ側に形成されたリング状の端面４ｃに当接する当接部８ａが設けられており、これら端面４ｃと当接部８ａとが接した状態で、セード４は器具本体３に保持されている。また、この当接部８ａは、装置本体８ｂの内部側（図２の左方向側）にスライド移動可能に構成されたものであり、当該当接部８ａが図示しないバネ部材の付勢力に抗して装置本体８ｂ内部側にスライド移動することにより、セード４の着脱作業が行われる。
【００１０】
詳細にいえば、セード４は、その装着時には、図２（ｂ）に示す状態から同図の上側に垂直に押し上げられることにより、そのセード開口端４ｂ側に形成されたテーパ状部分が上記当接部８ａに形成されたテーパ状部分と当接し、さらにセード４の上側への押し上げ作業に応じて、当接部８ａが上記バネ部材の付勢力に抗して装置本体８ｂ内部側にスライド移動され、セード４が上方に押し上げられるのを許容する。その後、セード４が図２（ａ）に示す状態まで押し上げられると、当接部８ａがバネ部材の付勢力によって装置本体８ｂ内部から外側にスライド移動し、当該当接部８ａの上面が上記端面４ｃに接触してセード４が下方に落下するのを防いだ状態で保持する。
一方、セード４の取外し時には、蛍光ランプ２の周方向に沿って当該セード４を回転させることにより、セード内周面４ｄから内側に膨れ出るように、当該内周面４ｄに形成された膨出部分（図示せず）が上記当接部８ａと当接する。そして、セード４のさらなる回転作業に応じて、当接部８ａが上記膨出部分によって上記バネ部材の付勢力に抗して装置本体８ｂ内部側にスライド移動され、セード４が下方に引き下げられるのを許容して器具本体３からセード４が外される。
【００１１】
上記木枠５は、図２に示すように、その一方の環状端面５ａが上記天井面と対向するように、固定具９及びパッキン１０を介在させて器具本体３に取り付けられている。
上記取付部材６は、薄板の板バネ材により構成されたものであり、木飾り７の重量によって塑性変形を生じない強度を有するものが選択されている。また、取付部材６の一端部側は木ネジ１１によって木枠５の他方の環状端面５ｂに固定され、他端部側は例えば二つの木ネジ１２により、上記各木飾り７に固定されている。
【００１２】
上記の各木飾り７には、図２に示すように、セード４の周縁部４ａと係合するとともに、周縁部４ａと係合したときに当該周縁部４ａを挟むように凹部状に形成された係合部７ａと、上記木ネジ１２が取り付けられるとともに、取付部材６の一部分を収納可能に構成された溝部７ｂとが設けられている。
また、各木飾り７は、器具本体３にセード４を着脱させる際に当該セード４が干渉しない位置に退避できるように、上記取付部材６を介して木枠５に回動可能に取り付けられている。具体的には、各木飾り７は、セード４の着脱作業に伴って上記木枠５の環状端面５ｂ上を回動することにより、セード４の周縁部４ａを覆うことができる装飾位置（図２（ａ）に示す位置）と、そのセード４を器具本体３に対し着脱させることができる退避位置（図２（ｂ）に示す位置）とのいずれかの位置に移動できるようになっている。
【００１３】
詳細にいえば、上記装飾位置では、図２（ａ）に示したように、各木飾り７の係合部７ａがセード４の周縁部４ａと係合しており、取付部材６はその一部分が略平坦な状態で上記溝部７ｂ内に収納されて、木飾り７を木枠５側に吊り上げ支持している。また、木飾り７は、取付部材６及びセード４により、その装飾位置で停止された状態で木枠５の環状端面５ｂ上に位置決めされている。そして、セード４の取外し作業が行われると、上記係合部７ａと周縁部４ａとが係合した状態で、セード４が図２（ａ）の下方に引き下げられることにより、取付部材６の一部分が溝部７ｂから外側に引き出されるよう湾曲状に弾性変形するとともに、その弾性変形により、木飾り７の右上端部が木枠５の環状端面５ｂに接触した状態で、当該木飾り７が同図の反時計方向回りに回動する。その後、木飾り７が、図２（ｂ）に示した退避位置に移動すると、係合部７ａと周縁部４ａとの係合状態が解除され、セード４が下方に外れるのを許容する。
一方、セード４の装着時には、まずセード周縁部４ａを木飾り７の係合部７ａに係合することにより、取付部材６の一部分が溝部７ｂの外側に出た状態とする。そして、周縁部４ａと係合部７ａとの係合状態を維持しつつ、セード４を器具本体３側に持ち上げることにより、取付部材６の一部分が溝部７ｂ内に収納されるよう弾性変形し、木飾り７が上記退避位置から時計方向回りに回動して上記装着位置に移動する。
【００１４】
また、上記装飾位置では、セード４の周縁部４ａが木飾り７の係合部７ａに係合しているので、地震等の振動によりセード４が回転するのを防ぐことができ、上記取付装置８による当該セード４の落下防止機能を維持することができる。さらに、この装飾位置では、図１に示すように、上記取付部材６及び木ネジ１１、１２は対応する木飾り７及びセード周縁部４ａによって覆われており、これら部材が視認されることによって装飾性が低下するのを防いでいる。
【００１５】
以上のように構成された本実施形態の照明器具１では、上記木飾り（装飾部品）７が図２（ａ）及び（ｂ）にそれぞれ示した上記装飾位置及び退避位置のいずれかの位置に移動できるよう、取付部材６を介して木枠７に回動可能に取り付けられているので、セード４に穴明け加工を行うことなく、木飾り７にてセード４を装飾することができる。この結果、上記従来例と異なり、穴明け加工に起因する割れなどの破損がセード４に生じるのを防止することができ、セード４の耐用年数の低下を防ぐことができる。また、従来例と異なり、穴明け加工に伴う微細なひびや裂け目などの構造的に弱くなる部分がセード４に発生することがないので、当該セード４の構造強度が部分的に低下するのを防止することができる。しかも、リベット等の固定手段を介在させることにより、装飾部品をセード表面に固定した上記従来例と異なり、その表面に固定された装飾部品を掴むことなどによるセード破損などの発生を防止でき、セードの着脱作業などでの当該セードの取扱性を向上させることができるとともに、セード表面に生じた汚れの拭き取り作業等を容易に行うことができる。さらに、装飾部品がセード周縁部４ａを確実に覆うことができるので、照明器具の装飾性を向上させることができるとともに、装飾部品を変更することにより装飾性が異なる照明器具を簡単に構成することが可能となり、セード４の汎用性を高めることができる。
【００１６】
尚、上記の説明では、器具本体に固定された木枠に対し、取付部材を介して木飾りを回動可能に取り付け、この木飾りによって円形状の周縁部を有するセードを装飾する構成について説明したが、本発明はセード周縁部の複数箇所の少なくとも下面側を覆った状態で当該セードを装飾する装飾部品を、セード着脱動作を干渉しない位置に退避できるように、弾性変形可能な取付部材を介して器具本体側に当該装飾部品を取り付けたものであれば、木枠の有無やセード周縁部の形状、装飾部品の材質、形状や設置数などは上記のものに何等限定されない。また、器具本体が上記天井面以外の設置面（例えば玄関脇の垂直な壁面）に取り付けられる照明器具にも適用することができる。
【００１７】
【発明の効果】
本発明によれば、穴明け加工に起因する割れなどの破損がセードに生じるのを防止することが可能な照明器具を構成することができる。
【図面の簡単な説明】
【図１】本発明の一実施形態に係る照明器具の要部構成を示す平面図である。
【図２】図１のＩＩ−ＩＩ線拡大断面図であり、（ａ）及び（ｂ）はそれぞれセードの装着後及び装着前における装飾部品を示す図である。
【図３】（ａ）は従来の照明器具を示す平面図であり、（ｂ）は（ａ）のＩＩＩｂ−ＩＩＩｂ線拡大断面図である。
【符号の説明】
１      照明器具
３      器具本体
４      セード
４ａ    周縁部
６      取付部材
７      木飾り（装飾部品）
【図１】
2004247254.tif 000003
【図２】
2004247254.tif 000004
【図３】
2004247254.tif 000005